(57)【要約】【課題】  既設の住宅建物のシート防水床である陸屋根やバルコニーの上に、簡単に構造物を設置することを可能にするシート防水床の構造物固定構造を提供する。【解決手段】  下地面１２に、ディスクプレート１１が固定され、このディスクプレート１１を介して、下地面１２に被覆された防水シート１３が接着されてなるシート防水床１において、このシート防水床１上に構造物３を設置する構造であって、鋼製の基盤２１からボルト２２が延設され、基盤２１部分に防水シート１３と接着可能な樹脂２３が被覆されてアンカー部材２が形成され、このアンカー部材２の基盤２１部分が、シート防水床１のディスクプレート１１の位置で防水シート１３上に接着され、アンカー部材２のボルト２２を介して構造物３が固定されてなるシート防水床１の構造物固定構造である。【選択図】  図１
2010236177.tif 000002
【特許請求の範囲】
【請求項１】
下地面に、ディスクプレートが固定され、このディスクプレートを介して、下地面に被覆された防水シートが接着されてなるシート防水床において、このシート防水床上に構造物を設置する構造であって、
鋼製の基盤からボルトが延設され、基盤部分に防水シートと接着可能な樹脂が被覆されてアンカー部材が形成され、
このアンカー部材の基盤部分が、シート防水床のディスクプレートの位置で防水シート上に接着され、アンカー部材のボルトを介して構造物が固定されてなることを特徴とするシート防水床の構造物固定構造。
【発明の詳細な説明】
【技術分野】
【０００１】
本発明は、シート防水構造の陸屋根やバルコニーの上に構造物を設置する構造に関するものである。
【背景技術】
【０００２】
住宅建物のシート防水床は、陸屋根やバルコニーを構成する下地面に、防水シートを被覆して構成される。この防水シートは、下地面に一定のピッチでディスクプレートをビス固定した後、下地面全体に被覆され、その後、ディスクプレートと接着することによって下地面に固定されるのが一般的である。（例えば、特許文献１参照）。
【０００３】
従来より、このようなシート防水構造の陸屋根上やバルコニー上に、ソーラーパネルや室外機などの構造物を設置する場合、既に住宅建物の設計段階で構造物の設置位置が決まっているような際には、躯体から防水シートを貫通して土台を延設させ、この土台上に構造物を固定し、貫通した防水シート部分の防水処理を行っていた。
【０００４】
また、既設の住宅建物に後付けで構造物を設置する場合は、シート防水床上に重量のある置きブロックを載置し、この置きブロックにアンカーを設けて構造物を固定していた。また、下地面と別個に製作した基礎ブロックを設けてアンカー鉄筋を下地面に打ち込み、これら全体を被覆するように防水シートを基礎ブロックに張り上げた後、この基礎ブロック上のアンカーに構造物を固定することが行われていた（例えば、特許文献２参照）。
【先行技術文献】
【特許文献】
【０００５】
【特許文献１】特開２００８−２９７７８１号公報
【特許文献２】特開平５−２４７９５０号公報
【発明の概要】
【発明が解決しようとする課題】
【０００６】
しかし、上記従来のシート防水床における構造物固定構造の場合は、以下のような不都合を生じることとなる。
【０００７】
すなわち、躯体から防水シートを貫通して土台を延設させた構造物固定構造の場合は、まず住宅建物の設計段階で、土台位置に合わせて躯体を構成する必要があり、経済的な設計にはならない。また、防水シートを貫通した土台部分の防水処理が必要であり、コストが嵩むこととなってしまう。
【０００８】
また、置きブロック上に構造物を固定する構造の場合、所望の設置強度を持たせるためには、重量のある置きブロックを設置しなければならず、そのためには、シート防水床に加わる耐荷重が大きくなってしまうので、躯体や下地面のスペックが上がり、コスト高になってしまう。また、防水シートの上に置きブロックを置いてしまうと、防水シートのメンテナンス時に作業が困難となってしまう。
【０００９】
さらに、下地面に基礎ブロックを設けてアンカー鉄筋を下地面に打ち込む構造の場合、基礎ブロックの施行が煩わしくなってしまう。また、基礎ブロックに防水シートを張り上げるため、コストが嵩むことになってしまう。
【００１０】
本発明は係る実情に鑑みてなされたものであって、既設の住宅建物のシート防水床である陸屋根やバルコニーの上に、簡単に構造物を設置することを可能にするシート防水床の構造物固定構造を提供することを目的としている。
【課題を解決するための手段】
【００１１】
上記課題を解決するための本発明のシート防水床の構造物固定構造は、下地面に、ディスクプレートが固定され、このディスクプレートを介して、下地面に被覆された防水シートが接着されてなるシート防水床において、このシート防水床上に構造物を設置する構造であって、鋼製の基盤からボルトが延設され、基盤部分に防水シートと接着可能な樹脂が被覆されてアンカー部材が形成され、このアンカー部材の基盤部分が、シート防水床のディスクプレートの位置で防水シート上に接着され、アンカー部材のボルトを介して構造物が固定されてなるものである。
【発明の効果】
【００１２】
以上述べたように、本発明によると、防水シートを接着するディスクプレートの位置で、アンカー部材の基盤部分を接着することによって、この基盤から延設されたボルトは、安定した状態で下地面のシート防水床上に固定することができる。そして、このアンカー部材のボルトを介して構造物を固定することで、シート防水床上に構造物を簡単に施行することができる。
【図面の簡単な説明】
【００１３】
【図１】本発明に係るシート防水床の構造物固定構造の全体構成の概略を示す断面図である。
【図２】本発明に係るシート防水床の構造物固定構造の要部拡大図である。
【図３】（ａ）は本発明に係るシート防水床の構造物固定構造に用いるアンカー部材の平面図、（ｂ）は同断面図である。
【図４】（ａ）および（ｂ）は、本発明に係るシート防水床の構造物固定構造に用いるアンカー部材の固定手順を示す工程図である。
【図５】本発明の他の実施の形態に係るシート防水床の構造物固定構造の要部拡大図である。
【図６】（ａ）および（ｂ）は、図５に示すシート防水床の構造物固定構造に用いるアンカー部材の固定手順を示す工程図である。
【図７】（ａ）は本発明に係るシート防水床の構造物固定構造に用いる他のアンカー部材の平面図、（ｂ）は同断面図である。
【図８】本発明に係るシート防水床の構造物固定構造に用いるさらに他のアンカー部材の斜視図である。
【発明を実施するための形態】
【００１４】
以下、本発明の実施の形態を図面を参照して説明する。
【００１５】
図１はシート防水床１の太陽光発電ユニット固定構造の全体構成の概略を示し、図２は同固定構造の要部を示し、図３は同固定構造に用いるアンカー部材２を示し、図４はアンカー部材２の固定手順を示している。
【００１６】
すなわち、このシート防水床１の太陽光発電ユニット固定構造は、シート防水床１のディスクプレート１１位置で防水シート１２上にアンカー部材２の基盤部分２１を接着し、このアンカー部材２のボルト２２を介して太陽光発電ユニット３を固定したものである。
【００１７】
シート防水床１は、下地面１３に、ディスクプレート１１を固定し、このディスクプレート１１を介して、下地面１３に被覆された防水シート１２を接着して構成されている。
【００１８】
ディスクプレート１１は、中央部にアンカーボルト１４のボルト本体部分１４ａを挿通可能な挿通孔１１ａが穿孔された、厚さ約４ｍｍの鋼板からなり、その表面には、防水シート１２と融着または接着できるように、防水シート１２と同素材の塩化ビニル樹脂１５がコーティングされて構成されている。このディスクプレート１１の挿通孔１１ａは、ボルト１４のボルト本体部分１４ａを挿通した状態で、ディスクプレート１１の表面からボルト頭１４ｂが突出しないように、さら孔を形成するようになされており、アンカーボルト１４のボルト頭１４ｂも、これに合致するさら頭となされている。
【００１９】
このディスクプレート１１は、下地面１３の上に等間隔で設けられ、アンカーボルト１４によって下地面１３に固定される。この際、ディスクプレート１１を設ける間隔については、特に限定されるものではなく、一般にシート防水床１の施行で行われている４００〜６００ｍｍの間隔で設けられる。また、アンカーボルト１４についても、特に限定されるものではなく、下地面１３の厚みなどに応じた適宜のものが使用される。
【００２０】
なお、このディスクプレート１１の形状としては、円形、楕円形、多角形状、帯状などに形成されたものを使用することができるが、直径５０ｍｍ〜１００ｍｍ程度の円形のものが最も好ましい。ディスクプレート１１の形状によっては、一枚のディスクプレート１１に二本以上のアンカーボルト１４を固定するものであってもよい。また、ディスクプレート１１の端縁は、アール加工によって角が無いように加工されていることが好ましい。さらに、本実施の形態では、下地面１３上に直接ディスクプレート１１を設けているが、下地面１３上に緩衝材（図示省略）を介してディスクプレート１１を設けるものであってもよい。
【００２１】
このディスクプレート１１を固定した下地面１３の表面には、下地面１３の全体を被覆するように防水シート１２が設けられ、この下地面１３に固定したディスクプレート１１と、防水シート１２とを接着してシート防水床１が構成される。この際、ディスクプレート１１と、防水シート１２との接着は、接着剤による接着であってもよいし、電磁誘導加熱などによってディスクプレート１１の表面に被覆された塩化ビニル樹脂層と、防水シート１２とを融着させるものであってもよいし、溶剤によってディスクプレート１１の表面に被覆された塩化ビニル樹脂層と、防水シート１２とを溶着させるものであってもよい。
【００２２】
なお、ディスクプレート１１は、鋼板の表面にコーティングされた塩化ビニル樹脂を介して防水シート１２と接着するようになされているが、図５および図６に示すように、下地面１３に設けた塩化ビニルシート１６を、鋼板のみからなるディスクプレート１１で押さえるようにしてアンカーボルト１４で固定し、ディスクプレート１１の周囲にはみ出した塩化ビニルシート１６の部分を防水シート１２と接着するものであってもよい。図５および図６において、図２および図４と同部材には同符号を付して説明を省略する。
【００２３】
アンカー部材２は、上記ディスクプレート１１と同じように構成された厚さ約４ｍｍの鋼製の基盤２１と、この基盤２１の中央部に穿孔された挿通孔２１ａに挿通される固定ボルト２２とによって構成されている。挿通孔２１ａは、固定ボルト２２のボルト本体部分２２ａを挿通した状態で、基盤２１の表面からボルト頭２２ｂが突出しないように、さら孔を形成するようになされており、固定ボルト２２のボルト頭２２ｂも、これに合致するさら頭となされている。そして、基盤２１の挿通孔２１ａに固定ボルト２２のボルト本体２２ａを挿通した状態で、このアンカー部材２は、基盤２１と固定ボルト２２とを溶接固定により一体化した状態に形成されている。また、基盤２１の表面には、防水シート１２と融着または接着できるように、防水シート１２と同素材の塩化ビニル樹脂２３がコーティングされている。
【００２４】
なお、アンカー部材２の基盤２１や固定ボルト２２の大きさについては、特に限定されるものではなく、このシート防水床１の上に固定される構造物に応じて適宜決定される。ただし、下地面１３と防水シート１２とが接着していない部分にアンカー部材２の基盤２１が位置した場合、充分な固定強度が得られないので、アンカー部材２の基盤２１は、ディクス１１と防水シート１２との接着面積に収まる大きさ、すなわち、ディスクプレート１１の大きさの範囲内であることが好ましい。
【００２５】
また、本実施の形態において、アンカー部材２は、基盤２１と固定ボルト２２とを溶接一体化して構成しているが、図７に示すように、基盤２１の挿通孔２１ａの周辺に、六角ボルト２４のボルト頭２４ｂが納まる嵌合部２１ｂを設け、この嵌合部２１ｂに六角ボルト２４のボルト頭２４ｂを納めるようにしてアンカー部材２を構成してもよい。この場合、基盤２１と六角ボルト２４とを溶接一体化しておく必要がないので、アンカー部材２が嵩張らない。しかも、ボルト頭２４ａさえ基盤２１の嵌合部２１ｂに合致すれば、六角ボルト２４のボルト本体２４ａのピッチや径を、施行現場でも容易に変更することができる。
【００２６】
さらに、本実施の形態では、アンカー部材２は、基盤２１の中央から一本の固定ボルト２２が延設された状態で構成されているが、図８に示すように、中央以外の位置から２本の固定ボルト２２が延設されたものであってもよい。図８において、図３と同部材には同符号を付して説明を省略する。なお、このアンカー部材２の構成としては、図７に示すような六角ボルト２４を用いたものであってもよい。また、固定ボルト２２は、二本以上設けられたものであってもよい。
【００２７】
次に、シート防水床１の太陽光発電ユニット固定構造の施行手順について説明する。
【００２８】
まず、シート防水床１のディスクプレート１１の位置を確認し、太陽光発電ユニット３の大きさから、どのディスクプレート１１の位置にアンカー部材２を設けるのかを決定する。決定したディスクプレート１１の位置で、防水シート１２の上にアンカー部材２の基盤２１の部分を接着する。この接着は、ディスクプレート１１と防水シート１２との接着と同様に、接着剤による接着であってもよいし、電磁誘導加熱などによって基盤２１の表面に被覆された塩化ビニル樹脂層と、防水シート１２とを融着させるものであってもよいし、溶剤によって基盤２１の表面に被覆された塩化ビニル樹脂層と、防水シート１２とを溶着させるものであってもよい。
【００２９】
その後、アンカー部材２の固定ボルト２２に固定金具４を介してフレーム３０を組み立て、最後にこのフレーム３０上に太陽光発電ユニット３を固定する。この際、固定金具４は、太陽光発電ユニット３に応じたものが適宜使用される。
【００３０】
このようにして構成されるシート防水床１の構造物固定構造によると、下地面１３と防水シート１２とが最も強固に接着されているディスクプレート１１の位置で、アンカー部材２の基盤２１の部分を接着しているので、この基盤２１から延設されたボルト２２は、安定した状態でシート防水床１上に固定することができる。したがって、このアンカー部材２の固定ボルト２２に固定金具４を介してフレーム３０を固定し、このフレーム３０上に太陽光発電ユニット３を固定することで、シート防水床１の上に太陽光発電ユニット３を簡単、かつ強固に固定することができる。
【００３１】
なお、本実施の形態においては、シート防水床１の上に太陽光発電ユニット３を設置する場合について述べているが、特にこのような太陽光発電ユニット３を固定する場合に限定されるものではなく、例えば、室外機、給湯器、物置などの各種構造物であってもよい。
【産業上の利用可能性】
【００３２】
本発明に係るシート防水床の構造物固定構造は、住宅建物の屋上やバルコニーに太陽光発電ユニット、室外機、給湯器などを設置する場合に使用される。
【符号の説明】
【００３３】
１  シート防水床
１１  ディスクプレート
１２  下地面
１３  防水シート
２  アンカー部材
２１  基盤
２２  固定ボルト
２３  塩化ビニル樹脂
３  太陽光発電ユニット（構造物）
【図１】
2010236177.tif 000003
【図２】
2010236177.tif 000004
【図３】
2010236177.tif 000005
【図４】
2010236177.tif 000006
【図５】
2010236177.tif 000007
【図６】
2010236177.tif 000008
【図７】
2010236177.tif 000009
【図８】
2010236177.tif 000010